(57)【要約】【課題】車椅子に被介護者が座ったまま足の治療を行うことができる超音波治療装置を提供する。【解決手段】床面Ｆと、車椅子３１のフレーム３２の左右の側部フレーム３２ａ，３２ａ及び尻置部３５の下面により形成された進入許容空間４１に、移動式の超音波治療装置１１の浴槽１６の先端部が進入できるように、前記浴槽１６の左右方向の幅Ｗ１寸法を前記両フレーム３２ａの間隔Ｗ２寸法よりも小さく設定する。又、浴槽１６の上端面の床面Ｆからの高さＨ１寸法を、尻置部３５の床面Ｆからの高さＨ２寸法よりも低く設定する。【選択図】図６
0003123409.tif 000002
【実用新案登録請求の範囲】
【請求項１】
足を収容する浴槽が、床面と車椅子の車輪を取り付ける左右両側部フレームと、該フレームの上部に架橋された車椅子の尻置部の下面とにより形成された進入許容空間に車椅子の前方から進入可能に、前記浴槽の左右方向の幅寸法を前記両側部フレームの左右方向の間隔寸法よりも小さく、かつ、浴槽の上端面の床面からの高さ寸法を前記尻置部の下面の床面からの高さ寸法よりも低く設定したことを特徴とする超音波治療装置。
【請求項２】
請求項１において、前記浴槽は走行可能な走行用フレームに支持されていることを特徴とする超音波治療装置。
【請求項３】
請求項２において、前記走行用フレームの下部には四箇所に車輪が取り付けられ、前側又は後側の少なくとも二つの車輪は操舵可能に構成されていることを特徴とする超音波治療装置。
【請求項４】
請求項１〜３のいずれか一項において、前記浴槽の後側上部には尻置部が設けられていることを特徴とする超音波治療装置。
【請求項５】
請求項１〜４のいずれか一項において、前記浴槽は有底四角箱状に形成され、その前側板は上端ほど前方に迫り出すように傾斜する傾斜板となっていることを特徴とする超音波治療装置。
【考案の詳細な説明】
【技術分野】
【０００１】
本考案は、浴槽を備えた超音波治療装置に関する。
【背景技術】
【０００２】
一般に、この種の超音波治療装置は、浴槽内に収容した水をポンプにより循環させながら超音波発生ノズルから水を空気と共に前記浴槽内に噴射して気泡を発生させるようになっている。そして、手や足が超音波による温熱作用やマイクロマッサージ作用などによって優れた治療効果が得られるようになっている。この超音波治療装置のうち足を治療するタイプのものは、床面の所定位置に配置され、床面に置かれた椅子に腰掛けた人が足を浴槽に入れて使用するようになっている。
【考案の開示】
【考案が解決しようとする課題】
【０００３】
ところが、従来の超音波治療装置は、浴槽の左右方向の幅寸法及び床面からの浴槽の上端面までの高さ寸法が車椅子の車輪を取り付ける左右両側部フレームの間隔寸法や床面から尻置部の下面までの高さ寸法を考慮して設計されていたわけではなかったので、車椅子を治療装置に近づけることが難しい。このため、車椅子に座った被介護者が座ったまま足の治療に使用することができないという問題があった。
【０００４】
本考案は、車椅子に被介護者が座ったまま足の治療を行うことができる超音波治療装置を提供することにある。
【課題を解決するための手段】
【０００５】
請求項１記載の考案は、足を収容する浴槽が、床面と車椅子の車輪を取り付ける左右両側部フレームと、該フレームの上部に架橋された車椅子の尻置部の下面とにより形成された進入許容空間に車椅子の前方から進入可能に、前記浴槽の左右方向の幅寸法を前記両側部フレームの左右方向の間隔寸法よりも小さく、かつ、浴槽の上端面の床面からの高さ寸法を前記尻置部の下面の床面からの高さ寸法よりも低く設定したことを要旨とする。
【０００６】
請求項２記載の考案は、請求項１において、前記浴槽は走行可能な走行用フレームに支持されていることを要旨とする。
請求項３記載の考案は、請求項２において、前記走行用フレームの下部には四箇所に車輪が取り付けられ、前側又は後側の少なくとも二つの車輪は操舵可能に構成されていることを要旨とする。
【０００７】
請求項４記載の考案は、請求項１〜３のいずれか一項において、前記浴槽の後側上部には、尻置部が設けられていることを要旨とする。
請求項５記載の考案は、請求項１〜４のいずれか一項において、前記浴槽は有底四角箱状に形成され、その前側板は上端ほど前方に迫り出すように傾斜する傾斜板となっていることを要旨とする。
【考案の効果】
【０００８】
本考案によれば、床面と、車椅子の車輪を取り付ける左右両側部フレームと、該フレームの上部に架橋された尻置部の下面とにより形成された進入許容空間に前方から超音波治療装置の浴槽を進入させることができるので、車椅子に被介護者が座ったまま足を前記浴槽に入れることができ、超音波による足の治療を容易に行うことができる。
【考案を実施するための最良の形態】
【０００９】
以下、本考案を具体化した超音波治療装置の一実施形態を図１〜図６にしたがって説明する。
図１及び図２に示すように、移動式超音波治療装置１１の角パイプを組み合わせて構成された走行用フレーム１２の前端部の左右両側には、ロック機構を有する操舵可能な一対の前輪１３が垂直軸線の回りで旋回可能に取り付けられ、後端部の左右両側には操舵不能な一対の後輪１４が取り付けられている。前記走行用フレーム１２の後端部には、手押し式の操作ハンドル１５が取り付けられている。
【００１０】
前記走行用フレーム１２には、鋼板を板金加工した有底四角箱状の浴槽１６が装着され、この浴槽１６の後側壁には、超音波発生ノズル１７が装着されている。前記走行用フレーム１２の後側上面には、前記浴槽１６内の水を循環させる循環用ユニット１８が装着されている。この循環用ユニット１８のケース１９内に設けたポンプ２０は、前記浴槽１６から循環用パイプ２１を通して水を汲み上げ、該パイプ２１を通して前記超音波発生ノズル１７に水を供給し、該超音波発生ノズル１７から水を空気とともに浴槽１６内に噴射させて気泡を発生させるようになっている。前記ポンプ２０は図示しないモータにより作動されるようになっている。なお、前記浴槽１６の底部には、浴槽１６内の水を外部に排出するための栓を有するドレン口２４が設けられている。
【００１１】
次に、図３及び図４に基づいて、車椅子３１について説明する。
この車椅子３１のフレーム３２は、図４に示すように左右一対の側部フレーム３２ａと、両側部フレーム３２ａを連結する連結フレーム３２ｂとにより構成されている。前記フレーム３２の後端部の左右両側には、左右一対の大径の駆動輪３３が取り付けられ、前端部の左右両側には、小径の操舵輪３４が取り付けられている。前記フレーム３２の上面には、被介護者の尻部を支持する尻置部３５が水平に取り付けられ、尻置部３５の後端部には、背もたれ部３６が上方に傾斜するように取り付けられている。前記背もたれ部３６の左右両側には、肘掛部３７が装着されるとともに、左右一対の操作ハンドル３８が装着されている。
【００１２】
前記フレーム３２の前端部左右両側には、ステー３９が装着され、その先端部には、足置き部４０が使用位置と退避位置との間で位置の切り換え可能に装着されている。  
図４に示すように、前記床面Ｆから前記尻置部３５の下面までの高さＨ２寸法は、例えば３５ｃｍに設定され、前記移動式超音波治療装置１１の浴槽１６の高さＨ１寸法が前記高さＨ２寸法よりも低く設定されている。又、前記両側部フレーム３２ａの左右方向の間隔Ｗ２寸法は、例えば３６ｃｍに設定され、前記移動式超音波治療装置１１の浴槽１６の左右方向の幅Ｗ１寸法は前記間隔Ｗ２寸法よりも小さく設定されている。そして、この実施形態では、前記床面Ｆ、両側部フレーム３２ａ及び尻置部３５により形成される空間を、前記移動式の超音波治療装置１１の浴槽１６の先端部が車椅子３１の前方から進入可能な進入許容空間４１としている。
【００１３】
次に、前記のように構成された移動式超音波治療装置１１の作用について説明する。
最初に、図６に示すように、車椅子３１の足置き部４０を使用位置から退避位置に移動し、車椅子３１に座っている被介護者の足を、反転された足置き部４０に載せる。この状態で、超音波治療装置１１の操作ハンドル１５を操作することにより、浴槽１６の先端部を図５に示すように前記車椅子３１の前記進入許容空間４１に前方から進入させる。その後、被介護者Ｍの足Ｅを足置き部４０から浴槽１６の内部に移し変える。
【００１４】
この状態で循環用ユニット１８を作動し、超音波発生ノズル１７から水と空気を浴槽１６内に噴射して、超音波を発生させ、足Ｅを超音波による温熱作用やマイクロマッサージ作用などによって治療する。
【００１５】
なお、足Ｅの治療は被介護者の症状に応じて適正な時間行われる。この治療が終了すると、浴槽１６内から足Ｅを引き上げた後、この足を退避位置にある足置き部４０に移し変える。次に、超音波治療装置１１の操作ハンドル１５を図６において、左方向に後退させ、車椅子３１の浴槽１６の先端部を進入許容空間４１から引き出す。その後、足Ｅを足置き部４０から持ち上げ、足置き部４０を退避位置から使用位置に反転して、足Ｅを足置き部４０に載せる。
【００１６】
以上の作業により被介護者Ｍが車椅子３１に座ったままの姿勢で足Ｅの治療を行うことができる。
上記実施形態の超音波治療装置によれば、以下のような効果を得ることができる。
【００１７】
（１）上記実施形態では、超音波治療装置１１の浴槽１６の床面Ｆからの高さＨ１を、車椅子３１の前記尻置部３５の下面の床面Ｆからの高さＨ２よりも小さく設定し、浴槽１６の左右方向の幅Ｗ１寸法を、前記左右の側部フレーム３２ａの左右方向の間隔Ｗ２寸法よりも小さく設定して、進入許容空間４１に浴槽１６が進入できるようにした。このため、車椅子３１に被介護者Ｍが正常なシーリング姿勢で座ったまま、浴槽１６の内部に足Ｅを収容した状態で、超音波発生ノズル１７から噴射される水流と気泡により超音波を発生させ、入浴できない被介護者の足Ｅを暖めることができ、これにより身体を暖めることができ、深部体温の上昇を図り、身体の治療を行うことができる。又、水流による足Ｅのマッサージ効果もあり、捻挫などの治療を行うこともできる。
【００１８】
（２）上記実施形態では、超音波治療装置１１が走行用フレーム１２により移動することができるので、車椅子３１を所定位置に置いたまま、超音波治療装置１１を移動して、超音波治療装置１１を使用状態とすることができる。このため、車椅子３１によって被介護者Ｍを移動する必要がなく、複数の車椅子３１に座った被介護者Ｍの足Ｅの治療を順次迅速に行うことができる。
【００１９】
なお、上記実施形態は以下のように変更してもよい。
・図７に示すように、浴槽１６の内部に足の出し入れの際に、足を案内する足案内斜部としての斜面を有する案内板１６ａを形成してもよい。この場合には、足Ｅの浴槽１６内への出し入れを容易に行うことができ、被介護者Ｍへの負担を軽減することができる。
【００２０】
・図８に示すように、前記循環用ユニット１８を走行用フレーム１２の下方に移動し、走行用フレーム１２の後側上部に尻置部４５を装着してもよい。この場合には、健常者も足の超音波治療を容易に行うことができる。
【００２１】
・移動式超音波治療装置１１を非移動式にしてもよい。
・前記前輪１３を操舵不能に、後輪１４を操舵可能に構成してもよい。又、四輪とも操舵輪としてもよい。
【図面の簡単な説明】
【００２２】
【図１】この考案を移動式超音波治療装置に具体化した一実施形態を示す右側面図。
【図２】移動式超音波治療装置の平面図。
【図３】車椅子の右側面図。
【図４】車椅子の正面図。
【図５】車椅子の進入許容空間に移動式超音波治療装置の浴槽を進入した状態を示す側断面図。
【図６】車椅子と移動式超音波治療装置の関係を示す断面図。
【図７】この考案の別の実施形態を示す浴槽の断面図。
【図８】この考案の別の実施形態を示す浴槽の断面図。
【符号の説明】
【００２３】
１１…移動式超音波治療装置、１２…走行用フレーム、１６…浴槽、１７…超音波発生ノズル、１８…循環用ユニット、３１…車椅子、３２…フレーム、３２ａ…側部フレーム、３５…尻置部、４１…進入許容空間、Ｈ１…床面からの浴槽１６の上端面までの高さ、Ｈ２…床面からの車椅子の尻置部の下面までの高さ、Ｗ１…浴槽１６の左右方向の幅、Ｗ２…車椅子の左右両側部フレーム３２ａの間隔。
【図１】
0003123409.tif 000003
【図２】
0003123409.tif 000004
【図３】
0003123409.tif 000005
【図４】
0003123409.tif 000006
【図５】
0003123409.tif 000007
【図６】
0003123409.tif 000008
【図７】
0003123409.tif 000009
【図８】
0003123409.tif 000010